【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
照明装置に接続され、照明用光源の発光状態を変更するスイッチ装置であって、
照明用光源の発光状態を変更する発光状態変更用操作部と、該発光状態変更用操作部によって変更された発光状態を表示する発光状態表示部とを備えていることを特徴とするスイッチ装置。
【請求項２】
前記発光状態変更用操作部は、照明用光源の発光色の色温度を変更する色温度変更用操作部であり、発光状態表示部が、前記色温度変更用操作部によって変更された色温度を表示する色温度表示部である請求項１に記載のスイッチ装置。
【請求項３】
前記発光状態変更用操作部は、照明用光源の光量を変更する光量変更用操作部であり、発光状態表示部が、前記光量変更用操作部によって変更された光量を表示する光量表示部である請求項１に記載のスイッチ装置。
【請求項４】
前記発光状態変更用操作部は、色温度変更用操作部と光量変更用操作部の両方を備え、発光状態表示部が、前記色温度変更用操作部によって変更された色温度表示部と、前記光量変更用操作部によって変更された光量を表示する光量表示部の両方を備えている請求項１に記載のスイッチ装置。
【請求項５】
前記発光状態変更用操作部は、光量変更用操作部と照明用光源の発光パターンを変更する発光パターン変更用操作部の両方を備え、発光状態表示部が、前記光量変更用操作部によって変更された光量を表示する光量表示部と、前記発光パターン変更用操作部によって変更された発光パターンを表示する発光パターン表示部の両方を備えている請求項３に記載のスイッチ装置。
【請求項６】
前記色温度表示部は、発光性を有している請求項２又は請求項４に記載のスイッチ装置。
【請求項７】
前記光量表示部は、発光性を有している請求項３ないし請求項５のいずれかに記載のスイッチ装置。
【請求項８】
前記発光パターン表示部は、発光性を有している請求項５に記載のスイッチ装置。
【請求項９】
前記発光状態変更用操作部は、スイッチ装置本体前面に設けられると共に、
該スイッチ装置本体前面は、全面的に光不透過性のパネルに覆われる一方、該パネルの発光状態表示部に対応する領域は、光透過性を有するものと構成されている請求項６ないし請求項８のいずれかに記載のスイッチ装置。
【請求項１０】
前記色温度変更用操作部は、スイッチ装置本体前面に設けられ、色温度増加変更操作用ボタンと色温度減少変更操作用ボタンとを有する一方、
前記光量変更用操作部は、スイッチ装置本体前面に設けられ、光量増加変更操作用ボタンと光量減少変更操作用ボタンとを有し、
前記発光パターン変更用操作部は、スイッチ装置本体前面に設けられ、発光パターン順番順送りボタンと順番逆送りボタンとを有し、
前記パネルに、前記色温度変更用操作部及び前記光量変更用操作部、又は発光パターン変更用操作部及び各ボタンを操作する単一の操作スイッチが設けられ、該操作スイッチの姿勢を異ならせることにより、前記各ボタンを選択的に操作しうるものとなされている請求項９に記載のスイッチ装置。
【請求項１１】
前記操作スイッチは、押圧操作により姿勢を異にする操作スイッチ本体と、該操作スイッチ本体を前記パネルに保持する操作スイッチ保持部材とを備え、
前記パネルは、前記操作スイッチ本体によって覆われる窓孔を有し、操作スイッチの操作が該窓孔を通して操作されるものとなされており、
前記操作スイッチ保持部材は、一体成形されたばね片を有し、該ばね片が押圧操作により姿勢変更された操作スイッチ本体の姿勢を非押圧状態姿勢に復帰させるものとなされている請求項１０に記載のスイッチ装置。
【請求項１２】
前記スイッチ装置本体に電源オンオフ操作用ボタンが設けられ、該電源オンオフ操作用ボタンが、前記単一の操作スイッチにより操作されるものとなされている請求項１０又は請求項１１に記載のスイッチ装置。
【手続補正２】
【補正対象書類名】明細書
【補正対象項目名】００１２
【補正方法】変更
【補正の内容】
【００１２】
［５］ 前記発光状態変更用操作部は、光量変更用操作部と照明用光源の発光パターンを変更する発光パターン変更用操作部の両方を備え、発光状態表示部が、前記光量変更用操作部によって変更された光量を表示する光量表示部と、前記発光パターン変更用操作部によって変更された発光パターンを表示する発光パターン表示部の両方を備えている前項３に記載のスイッチ装置。
【手続補正３】
【補正対象書類名】明細書
【補正対象項目名】００１８
【補正方法】変更
【補正の内容】
【００１８】
［１０］ 前記色温度変更用操作部は、スイッチ装置本体前面に設けられ、色温度増加変更操作用ボタンと色温度減少変更操作用ボタンとを有する一方、
前記光量変更用操作部は、スイッチ装置本体前面に設けられ、光量増加変更操作用ボタンと光量減少変更操作用ボタンとを有し、
前記発光パターン変更用操作部は、スイッチ装置本体前面に設けられ、発光パターン順序順送りボタンと順序逆送りボタンとを有し、
前記パネルに、前記色温度変更用操作部及び前記光量変更用操作部、又は発光パターン変更用操作部及び各ボタンを操作する単一の操作スイッチが設けられ、該操作スイッチの姿勢を異ならせることにより、前記各ボタンを選択的に操作しうるものとなされている前項９に記載のスイッチ装置。
【手続補正４】
【補正対象書類名】明細書
【補正対象項目名】００１９
【補正方法】変更
【補正の内容】
【００１９】
［１１］  前記操作スイッチは、押圧操作により姿勢を異にする操作スイッチ本体と、該操作スイッチ本体を前記パネルに保持する操作スイッチ保持部材とを備え、
前記パネルは、前記操作スイッチ本体によって覆われる窓孔を有し、操作スイッチの操作が該窓孔を通して操作されるものとなされており、
前記操作スイッチ保持部材は、一体成形されたばね片を有し、該ばね片が押圧操作により姿勢変更された操作スイッチ本体の姿勢を非押圧状態姿勢に復帰させるものとなされている前項１０に記載のスイッチ装置。
【手続補正５】
【補正対象書類名】明細書
【補正対象項目名】００２０
【補正方法】変更
【補正の内容】
【００２０】
［１２］  前記スイッチ装置本体に電源オンオフ操作用ボタンが設けられ、該電源オンオフ操作用ボタンが、前記単一の操作スイッチにより操作されるものとなされている前項１０又は前項１１に記載のスイッチ装置。
【手続補正６】
【補正対象書類名】明細書
【補正対象項目名】００２２
【補正方法】変更
【補正の内容】
【００２２】
また、その発光状態が発光状態表示部に表示されるため、後に、発光状態表示部に表示された発光状態を確認しながら、発光状態の変更、調整を行うことで、操作時の感覚に左右されることなく同じ発光状態を容易に再現することができる。
【手続補正７】
【補正対象書類名】明細書
【補正対象項目名】００２４
【補正方法】変更
【補正の内容】
【００２４】
また、その色温度が色温度表示部に表示されるため、後に、色温度表示部に表示された色温度を確認しながら、色温度の変更、調整を行うことで、操作時の感覚に左右されることなく同じ発光色を容易に再現することができる。
【手続補正８】
【補正対象書類名】明細書
【補正対象項目名】００２６
【補正方法】変更
【補正の内容】
【００２６】
また、その光量が光量表示部に表示されるため、後に、光量表示部に表示された光量を確認しながら、光量の変更、調整を行うことで、操作時の感覚に左右されることなく同じ光量の発光状態を容易に再現することができる。